(57)【特許請求の範囲】
【請求項１】
床材本体と、この床材本体の下面から突出し、敷設される下地床面と前記床材本体との間に隙間を形成する多数の脚部を有し、かつ、雄連結部を一側縁に有し、この雄連結部と連結可能な形状の雌連結部を前記とは異なる側縁に備えた複数の単位床化粧材が、前記雄連結部と雌連結部とを互いに連結させた状態で下地床面に敷き並べられるとともに、敷き並べられた単位床化粧材のうち、最も外側に敷き並べられた単位床化粧材に沿って端用床材が敷き並べられている床材敷設構造であって、
前記最も外側に敷き並べられる単位床化粧材が、その端用床材側端縁部を切断されて幅調整され、
前記端用床材が、前記幅調整された単位床化粧材の切断端面に沿って配置され、
板状材が、前記端用床材と前記幅調整された単位床化粧材との隣接端部において、少なくとも端用床材の端部の一部と、前記幅調整された単位床化粧材の少なくとも最も外側の脚部とを下方から受けるように配置され、かつ、前記端用床材の端部の一部及び前記幅調整された単位床化粧材の脚部に固着されていることを特徴とする床材敷設構造。
【請求項２】
板状材と、端用床材及び単位床化粧材の少なくともいずれかとが、接着剤、シーリング剤、粘着剤及びネジのうちの少なくともいずれかを用いて施工現場で固着される請求項１に記載の床材敷設構造。
【請求項３】
板状材が、端用床材の端部の一部及び単位床化粧材の脚部の少なくともいずれかの固着面に、端用床材の端部の一部及び単位床化粧材の脚部を固着する粘着層を備えている請求項１または請求項２に記載の床材敷設構造。
【請求項４】
板状材が、端用床材の端部の一部または単位床化粧材の脚部との固着部に端用床材の端部の一部または脚部が嵌合する嵌合部を備えている請求項１または請求項２に記載の床材敷設構造。
【請求項５】
板状材が、下地床面との接触面に滑り止め手段を有する請求項１〜請求項４のいずれかに記載の床材敷設構造。
【請求項６】
板状材の厚さが３ｍｍ以下である請求項１〜請求項５いずれかに記載の床材敷設構造。
【請求項７】
端用床材に、板状材が予め一体化されている請求項１〜請求項６のいずれかに記載の床材敷設構造。
【発明の詳細な説明】
【技術分野】
【０００１】
本発明は、ベランダやバルコニーのコンクリート床等の下地床面に敷設される単位床化粧材と、端用床材の敷設構造に関する。
【背景技術】
【０００２】
バルコニー、ベランダ等の意匠性を上げる為に、下地床面となるコンクリート床面や防水シートの上に単位床化粧材を敷設する事が行われている。
すなわち、単位床化粧材は、通常、正方形や長方形をしているとともに、雄連結部を一側縁に有し、この雄連結部と連結可能な形状の雌連結部を前記とは異なる側縁に備え、雄連結部と、隣接して配置される別の単位床化粧材の雌連結部とをつぎつぎに連結させて下地床面の大きさ及び形状に応じた枚数の単位床化粧材を下地床面に敷き並べて下地床面を覆い隠す化粧床面を形成できるようになっている。
【０００３】
しかし、敷設する床面の大きさは、単位床化粧材の整数倍になっているとは限らないため、単位床化粧材を連結した敷設面の端には、壁面などとの間に隙間が生じる場合がある。
このような場合、この隙間をそのまま放置すると、見栄えが悪いという問題や、この隙間から風が単位床化粧材の下側に入り込み。単位床化粧材がめくり上がってしまうという問題が生じる。
【０００４】
そこで、単位床化粧材の連結端部での見栄えをよくする、あるいは、耐風性能を向上させるために、単位床化粧材の雄嵌合部、雌嵌合部あるいは脚部に嵌合することによって、隙間側の最外縁の単位床化粧材に連結可能な雄嵌合部あるいは雌嵌合部を備えた、上記隙間に納まる寸法をしたスロープ材や耐風用端材等の端用床材（特許文献１〜特許文献３参照）や、単位床化粧材の連結端部において、床化粧材の側面から嵌合する断面略コ字形をした端部カバー材（特許文献４、５参照）が提案されている。
しかし、前者の端用床材を用いた場合においても、隙間の寸法が端用床材の寸法と一致しない場合もあり、寸法の異なる複数の端用床材を用意しておく必要がある。
【０００５】
一方、端部カバー材の場合、床化粧材への嵌合深さを調整することによって隙間の寸法に対応させることができるため、端用床材のような問題はないが、段差が付かないように薄肉にしなければならないので、嵌合深さが浅い場合、端部カバー材のみに荷重がかかり、割れが生じるなど強度的に問題が出る場合があるとともに、ねじや接着剤で固定しなかった場合、端部カバー材がズレ動きやすいという問題がある。
【０００６】
また、格子状フロアタイルを連結具として、切欠部を有する方形枠の四隅にあって脚部の間隔に符合する寸法間隔の脚受孔を具えた筒部が配設されてなる格子状フロアタイルの連結具が提案されている（特許文献６参照）。
すなわち、この連結具は、連結しようとする２つの格子状フロアタイルを、それぞれの脚部を脚受孔に嵌合させるだけで連結できる。したがって、この連結具の構造を用いれば、
脚部さえあれば、単位床化粧材同士を連結できるため、例えば、寸法調整のために、端部に位置する単位床化粧材を切断した場合にも連結可能である。
【０００７】
しかし、この連結具を用いた連結方法の場合、脚部位置の制約を受ける、床材本体のカット位置によっては、端用床材とデザインが合わず、見栄えが悪いという問題がある。
【０００８】
【特許文献１】実公平４−２７４２０号公報
【特許文献２】特開平１１−３０３３６６号公報
【特許文献３】特開２００３−５６１６６号公報
【特許文献４】特開平１１−３４３７２２号公報
【特許文献５】特開２００４−３２４０８４号公報
【特許文献６】実公平６−２６６６２号公報
【発明の開示】
【発明が解決しようとする課題】
【０００９】
本発明は、上記事情に鑑みて、単位床化粧材の端部をいずれの寸法幅で切断した場合も、端用床材を切断された単位床化粧材の端縁に沿うように見栄えよく単位床化粧材に連結固定することができる床材敷設構造、この床材敷設構造に用いられる板状材及び端用床材を提供することを目的としている。
【課題を解決するための手段】
【００１０】
上記目的を達成するために、本発明の請求項１に記載の床材敷設構造（以下、「請求項１の床材敷設構造」と記す）は、床材本体と、この床材本体の下面から突出し、敷設される下地床面と前記床材本体との間に隙間を形成する多数の脚部を有し、かつ、雄連結部を一側縁に有し、この雄連結部と連結可能な形状の雌連結部を前記とは異なる側縁に備えた複数の単位床化粧材が、前記雄連結部と雌連結部とを互いに連結させた状態で下地床面に敷き並べられるとともに、敷き並べられた単位床化粧材のうち、最も外側に敷き並べられた単位床化粧材に沿って端用床材が敷き並べられている床材敷設構造であって、前記最も外側に敷き並べられる単位床化粧材が、その端用床材側端縁部を切断されて幅調整され、前記端用床材が、前記幅調整された単位床化粧材の切断端面に沿って配置され、板状材が、前記端用床材と前記幅調整された単位床化粧材との隣接端部において、少なくとも端用床材の端部の一部と、前記幅調整された単位床化粧材の少なくとも最も外側の脚部とを下方から受けるように配置され、かつ、前記端用床材の端部の一部及び前記幅調整された単位床化粧材の脚部に固着されていることを特徴としている。
【００１１】
本発明の請求項２に記載の床材敷設構造（以下、「請求項２の床材敷設構造」と記す）は、請求項１の床材敷設構造において、板状材と、端用床材及び単位床化粧材の少なくともいずれかとが、接着剤、シーリング剤、粘着剤及びネジのうちの少なくともいずれかを用いて施工現場で固着されることを特徴としている。
【００１２】
本発明の請求項３に記載の床材敷設構造（以下、「請求項３の床材敷設構造」と記す）は、請求項１または請求項２の床材敷設構造において、板状材が、端用床材の端部の一部及び単位床化粧材の脚部の少なくともいずれかの固着面に、端用床材の端部の一部及び単位床化粧材の脚部を固着する粘着層を備えていることを特徴としている。
【００１３】
本発明の請求項４に記載の床材敷設構造（以下、「請求項４の床材敷設構造」と記す）は、請求項１または請求項２の床材敷設構造において、板状材が、端用床材の端部の一部または単位床化粧材の脚部との固着部に端用床材の端部の一部または脚部が嵌合する嵌合部を備えていることを特徴としている。
【００１４】
本発明の請求項５に記載の床材敷設構造（以下、「請求項５の床材敷設構造」と記す）は、請求項１〜請求項４のいずれかに記載の床材敷設構造において、板状材が、下地床面との接触面に滑り止め手段を有することを特徴としている。
【００１５】
本発明の請求項６に記載の床材敷設構造（以下、「請求項６の床材敷設構造」と記す）は、請求項１〜請求項５のいずれかの床材敷設構造において、板状材の厚さが３ｍｍ以下であることを特徴としている。
【００１６】
本発明の請求項７に記載の床材敷設構造（以下、「請求項７の床材敷設構造」と記す）は、請求項１〜請求項６のいずれかの床材敷設構造において、端用床材に、板状材が予め一体化されていることを特徴している。
【００１７】
本発明において、板状材としては、特に限定されないが、３ｍｍ以下のできるだけ薄くて強度が高く、現場での切断も可能なものが好ましく、例えば、塩化ビニル樹脂、ポリエチレン樹脂等の軟質の樹脂、若しくはゴム状の物が好適であるが、硬質樹脂、金属材料で形成されていても構わない。なお、板状材の厚さは、脚部を切除して高さをそろえることができれば、３ｍｍを越えても構わない。
【００１８】
請求項３の床材敷設構造において、粘着層は、特に限定されないが、例えば、ブチルゴム系の両面テープ等の粘着テープを板状材の表面に貼付することによって形成できる。
【００１９】
請求項４の床材敷設構造において、嵌合部の構造としては、端用床材の端部の一部あるいは脚部に外嵌される筒状凹部でも構わないし、脚部の下面に穴が穿設されている場合には、この穴に嵌合する突起でも構わない。
【００２０】
請求項５の床材敷設構造において、滑り止め手段は、床化粧材及び端用床材上の歩行を繰り返した際に、連結された床化粧材及び端用床材の全体のズレを抑制することを目的として設けられ、特に限定されないが、例えば、弾性の高いゴム状の物を板状材の下面に沿って積層したり、板状材の下面をエンボス加工したりすることが挙げられる。
また、板状材の表面は、平滑でも良いし、施工現場での固定を行う場合であれば、固定力が増すように、表面側にエンボスや、凹凸を設けても良い。
【００２１】
板状材の平面形状は、少なくとも端用床材の端部の一部と、単位床化粧材の少なくとも最も単位床化粧材側の脚部とを下方から受けることができれば、四角でもT字形等問わない。また、開孔の多いメッシュ状としても良い。例えば、端用床材が耐風用床材の場合、単純板だと負圧の影響を受け易いため、メッシュ状にする方が好ましい。
【発明の効果】
【００２２】
以上のように、本発明の請求項１の床材敷設構造は、少なくとも端用床材の端部の一部と、単位床化粧材の少なくとも最も単位床化粧材側の脚部とを下方から受けるように配置され、かつ、前記端用床材の端部の一部及び単位床化粧材の脚部に固着されているので、単位床化粧材の端部をいずれの寸法幅で切断した場合も、端用床材を切断された単位床化粧材の端縁に沿うように見栄えよく単位床化粧材に連結固定することができる。すなわち、下地床面が単位床化粧材と端用床材との継ぎ目部分から視認できない状態にすることができる。
【００２３】
単位床化粧材をどこで切断しても端用床材を取り付け可能であるので、納まり調整の寸法に制約がない。
また、単位床化粧材と端用床材とが確実に固定され、上下左右どの方向にもずれることがない。
【００２４】
また、請求項３の床材敷設構造は、端用床材の端部の一部及び脚部との少なくともいずれかの固着面に、端用床材の端部の一部及び単位床化粧材の脚部を固着する粘着層を備えているので、この粘着層に端用床材の端部の一部及び単位床化粧材の脚部を載せるだけで端用床材及び単位床化粧材を連結状態で固着でき、施工性に優れたものとなる。
【００２５】
請求項４の床材敷設構造は、端用床材の端部の一部または単位床化粧材の脚部との固着部に端用床材の端部の一部または脚部が嵌合する嵌合部を備えているので、端部の一部または単位床化粧材の脚部をこの嵌合部に嵌合させるだけで、いずれか一方の床材が板状材に連結できる。
【００２６】
請求項５の床材敷設構造は、板状材が、下地床面との接触面に滑り止め手段を有するので、床化粧材及び端用床材上の歩行を繰り返した際の連結された床化粧材及び端用床材の全体のズレを抑制することができる。
【００２７】
請求項６の床材敷設構造は、端用床材との固着予定部から脚部固着側端縁までの長さが、単位床化粧材の脚部間の最大間隔以上であるので、単位床化粧材をどこで切断しても必ず板状材でいずれかの脚部を受けることができる。すなわち、１種類の板状材を用意するだけでよく、コスト的に優れている。
【００２８】
請求項７の床材敷設構造は、板状材が端用床材に予め一体化されているので、単位床化粧材の脚部のみを板状材に固定するだけで、単位床化粧材との連結が完了する。したがって、施工性がよい。
【発明を実施するための最良の形態】
【００２９】
以下に、本発明を、その実施の形態をあらわす図面を参照しつつ詳しく説明する。
図１及び図２は、本発明にかかる床材敷設構造に用いられる単位床化粧材の１例、図３及び図４は端用床材としてのスロープ材の１例をあらわしている。
【００３０】
図１及び図２に示すように、この単位床化粧材１は、表面化粧材としての平面視略正方形の１枚の大判のタイル２と、平面視略正方形の合成樹脂製の枠部材３とを備え、床材本体１０を構成するタイル２と、枠部材３の枠状部３１とが接着剤を介して一体化されている。
また、枠状部３１の隣り合う２つの辺に沿って複数の雌嵌合部３２が設けられ、残りの２辺に沿って、脚部を兼ねる複数の雄嵌合部３３が雌嵌合部３２に対応して設けられている。
【００３１】
枠部材３は、枠状部３１の下面から枠状部３１と、単位床化粧材１が敷設されるベランダやバルコニーのコンクリート床面（以下、「下地床面」と記す）との間に排水空間を形成する複数の脚部３４を備えている。
雄嵌合部３３及び脚部３４は、下面側が開口する円柱状の中空部３５を備えている。
【００３２】
図３及び図４に示すように、スロープ材４ａは、長手方向の寸法が、単位床化粧材１の一辺の長さと同じの平面視長方形をしていて、上面が一方の長辺側から他方の長辺側に向かって傾斜している。
また、スロープ材４ａは、一方の短辺に沿って２つの雌嵌合部４１が設けられ、他方の短辺に沿って２つの雄嵌合部４２が設けられるとともに、図４に示すように、傾斜の高い側の長辺に沿って単位床化粧材１の雌嵌合部３２に嵌合する複数の雄嵌合部４３が設けられている。
すなわち、スロープ材４ａは、複数枚の単位床化粧材１を、雄嵌合部３３と雌嵌合部３２との嵌合によって連結しながら下地床面上に敷き並べたとき、最も外側に位置する単位床化粧材１と、建物壁面との間にスロープ材４ａの短辺側の幅か少し大きい幅の隙間が生じる場合には、そのまま雄嵌合部４３を単位床化粧材１の雌嵌合部３２に嵌合させることによって単位床化粧材１と連結することができる。
【００３３】
一方、最も外側の単位床化粧材１と、建物壁面との間の隙間が、スロープ材４ａが入り込む幅より狭い場合には、図２に二点鎖線で示すように、最も外側に位置する単位床化粧材１の一部を切り取って幅調整用単位床化粧材１ａを形成し、スロープ材４ａの短辺側の幅か少し大きい幅の隙間が生じるようにするとともに、図５に示すように、スロープ材４ａの端部の一部を構成する雄嵌合部４３及び幅調整用単位床化粧材１aの切断端面に最も近い脚部３４を３ｍｍ以下の厚さの合成樹脂製の板状材５ａによって受けるとともに、板状材５ａの下方から板状材５ａに設けられたねじ挿通孔（図示せず）を介して雄嵌合部４３の中空部３５及び脚部３４の中空部３５にねじ６を螺合させ、板状材５ａを介してスロープ材４ａと幅調整用単位床化粧材１ａとを連結固定する。
なお、固定方法はねじに限定されず粘着テープ、粘着剤、接着剤、シーリング剤など固定できるものであればいかなるものでも構わない。
また、スロープ材４ａと幅調整用単位床化粧材１aを異なる固定方法で板状材５ａに固定しても構わない。
なお、板状材５ａは、図ではあらわれていないが、下地床面に接触する面が滑り止めとなるようにエンボス加工されている。
【００３４】
すなわち、この床材敷設構造によれば、単位床化粧材１の端部をいずれの寸法幅で切断した場合も、スロープ材４ａを切断された幅調整用単位床化粧材１ａの端縁に沿うように見栄えよく連結固定することができる。すなわち、下地床面が幅調整用単位床化粧材１ａとスロープ材４ａとの継ぎ目部分から視認できない状態に見栄え良く敷設することができる。
【００３５】
また、幅調整用単位床化粧材１ａとスロープ材４ａとが確実に固定され、上下左右どの方向にもずれることがない。
さらに、板状材５ａは、スロープ材４ａの脚部３４が固着予定部から幅調整用単位床化粧材１ａ側、すなわち、脚部３４の固着側端縁までの長さが、単位床化粧材１の脚部３４間の最大間隔以上になっている。
したがって、単位床化粧材１をどこで切断しても必ず板状材５ａによっていずれかの脚部３４及び雄嵌合部４３を受けることができる。すなわち、１種類の板状材５ａを用意するだけでよく、コスト的に優れている。
【００３６】
なお、板状材５ａの形状は、雄嵌合部４３及び脚部３４の少なくとも１つずつを下方から受けることができれば、特に限定されず、例えば、四角形、短冊状、Ｔ字形等が挙げられる。
【００３７】
図６は、板状材の第２の実施の形態をあらわしている。
図６に示すように、この板状材５ｂは、脚部３４が嵌り込む嵌合部としての２つの筒状部５１を備えている。
そして、この板状材５ｂは、図７に示すように、幅調整用単位床化粧材１ａの脚部３４のいずれかを筒状部５１内に嵌合することによって幅調整用単位床化粧材１ａに固定されるようになっている以外は、上記板状材５ａと同じになっている。
【００３８】
図８は、板状材の第３の実施の形態をあらわしている。
図８に示すように、この板状材５ｃは、脚部３４の中空部３５に嵌り込む嵌合部としての２つの突起５２を備えている。
そして、この板状材５ｃは、図９に示すように、幅調整用単位床化粧材１ａの脚部３４の中空部３５に突起５２を嵌合することによって幅調整用単位床化粧材１ａに固定されるようになっている以外は、上記板状材５ａと同じになっている。
【００３９】
図１０は、端用床材としてのスロープ材の１例をあらわしている。
図１０に示すように、このスロープ材４ｂは、上記スロープ材４ａと略同じ形状をしたスロープ材本体４５と、板状材がスロープ材本体４５の端縁から延出するように一体成形された板状部４６とを備え、板状部４６の表面に粘着層が設けられている。
したがって、図９に鎖線で示すように、幅調整用単位床化粧材１ａの脚部３４を板状部４６に受けさせるだけで、スロープ材４ｂと幅調整用単位床化粧材１ａとが連結固定される。
【００４０】
図１１及び図１２は、本発明にかかる床材敷設構造に用いられる端用床材の他の例である隙間調整用床材をあらわしている。
図１１及び図１２に示すように、この隙間調整用床材４ｃは、床材本体４７と、第１脚部４８と、多数の第２脚部４９とを備えている。
【００４１】
床材本体４７は、下地床面に対して平行に配置される板状をしていて、幅調整用単位化粧材１ａ側の端縁部４７ａが端縁の厚みが徐々に薄くなるように、上面側が面取りされた形状になっている。
【００４２】
第１脚部４８は、直方体状をしていて、床材本体４７の端縁部４７ａが庇状にはみ出る形状となるように、床材本体４７の幅調整用単位化粧材１ａ側の端縁に平行となるように床材本体４７の下面に沿って床材本体４７の略全幅にわたって連続して設けられている。なお、第１脚部は、間欠的に設けられていても構わない。
多数の第２脚部４９は、円柱状をしていて、等ピッチで床材本体４７の下面から延出するように設けられ、下地床面に受けられるようになっている。
【００４３】
そして、この隙間調整用床材４ｃは、以下のようにして、幅調整用単位床化粧材１ａに連結固定される。
すなわち、図１２に示すように、幅調整用単位床化粧材１ａの切断端面に最も近い脚部３４を板状材５ａによって受けるとともに、板状材５ａの下方から板状材５ａに設けられたねじ挿通孔（図示せず）を介して脚部３４の中空部３５にねじ６を螺合させ、板状材５ａと幅調整用単位床化粧材１ａとを連結固定する。なお、ねじ６に代えて接着剤や両面粘着テープを用いて固定してもよい。
つぎに、床材本体４７の第１脚部４８の下面に粘着層となる両面粘着テープ７を貼着するとともに、端縁部４７ａを幅調整用単位床化粧材１aの床材本体４７の端縁部に上方から被せた状態で第１脚部４８を板状材５ａに両面粘着テープ７によって固定する。なお、両面粘着テープ７に代えて接着剤やねじによって固定しても構わない。
【００４４】
上記隙間調整用床材４ｃは、上記のように、床材本体４７の端縁部４７ａが第１脚部４８より幅調整用単位床化粧材１ａ側に向かって庇状にはみ出る形状となっていて、このはみ出た端縁部４７ａが調整用単位床化粧材１ａの床材本体４７の端縁部に上方から被さるので、幅調整用単位床化粧材１ａの切断面が外部に露出しない。したがって、より見栄えのよい施工状態とすることができる。
また、隙間調整用床材４ｃは、幅調整用単位化粧材１ａ側の端縁部４７ａが端縁の厚みが徐々に薄くなるように、上面側が面取りされた形状になっているので、幅調整用単位床化粧材１ａとの接続部において、段差が少なくなり、安全性が高い。
【００４５】
本発明は、上記の実施の形態に限定されない。たとえば、上記の実施の形態では、幅調整用単位床化粧材と、スロープ材とを、板状材を介して連結するようにしていたが、最も外側の単位床化粧材が幅調整されていない場合においても、板状材を介して連結するようにしても構わない。
上記の実施の形態では、単位床化粧材が表面化粧材として、大判の１枚のタイルが用いられていたが、小型の複数枚のタイルを１つの枠部材に受けるようにしても構わない。
上記の実施の形態では、板状部がスロープ材に一体成形されていたが、予め工場等でねじや接着剤で固定一体化されていても構わない。
【図面の簡単な説明】
【００４６】
【図１】本発明にかかる床材敷設構造に用いられる単位床化粧材の１例をあらわす斜視図である。
【図２】図１の単位床化粧材の底面図である。
【図３】本発明にかかる床材敷設構造に用いられる端用床材としてのスロープ材の1例をあらわす斜視図である。
【図４】図３のスロープ材の底面図である。
【図５】図１の単位床化粧材及び図３のスロープ材を用いた本発明にかかる床材敷設構造の第１の実施の形態であって、その要部を断面であらわしている。
【図６】板状材の第２の実施の形態をあらわす斜視図である。
【図７】図６の板状材を用いた本発明にかかる床材敷設構造の第２の実施の形態であって、その要部を断面であらわしている。
【図８】板状材の第２の実施の形態をあらわす斜視図である。
【図９】図８の板状材を用いた本発明にかかる床材敷設構造の第３の実施の形態であって、その要部を断面であらわしている。
【図１０】端用床材の１例であるスロープ材の実施の形態を断面であらわしている。
【図１１】本発明にかかる床材敷設構造に用いられる端用床材の他の例である隙間調整用床材を下面側からみた斜視図である。
【図１２】図１１の端用床材の施工方法を説明する側面図である。
【符号の説明】
【００４７】
１ 単位床化粧材
１ａ 調整用単位床化粧材
１０ 床材本体
４ａ スロープ材（端用床材）
４ｂ スロープ材（端用床材）
４ｃ 隙間調整用床材（端用床材）
４５ スロープ材本体
４６ 板状部
５ａ，５ｂ，５ｃ 板状材
５１ 筒状部（嵌合部）
５２ 突起（嵌合部）
６ ネジ
７ 両面粘着テープ（粘着層）
３２ 雌連結部
３３ 雄連結部
３４ 脚部
【図１】
0005220442.tif 000002
【図２】
0005220442.tif 000003
【図３】
0005220442.tif 000004
【図４】
0005220442.tif 000005
【図５】
0005220442.tif 000006
【図６】
0005220442.tif 000007
【図７】
0005220442.tif 000008
【図８】
0005220442.tif 000009
【図９】
0005220442.tif 000010
【図１０】
0005220442.tif 000011
【図１１】
0005220442.tif 000012
【図１２】
0005220442.tif 000013